(57)【要約】    【課題】  水栓本体に被覆部材やステーなどを一体化したまま取付部に固定可能とすることにより、浴室などの設置場所における施工作業を簡略化し、設置場所での作業コストを低減させること。    【解決手段】  水栓カバー１００によって水栓本体１２や配管類が被覆され壁面２に固定される埋込水栓１０において、水栓カバー１００に、壁面２に対して埋込水栓１０を固定するための固定片８４，８５が露呈される開口部１０７，１０８を形成した。また、この開口部１０７，１０８には開閉自在なフタ１０４，１０６を設けた。    【選択図】    図１
2006016760.tif 000002
【特許請求の範囲】
【請求項１】
浴室のカウンターのパネル、水栓ボックス、水栓カバーなどの被覆部材によって水栓本体や配管類が被覆され一体化されるとともに、壁面などの取付部に固定される埋込水栓であって、
前記被覆部材には、前記取付部に対して埋込水栓を固定するための固定部が露呈される開口部が備えられたことを特徴とする埋込水栓。
【請求項２】
前記開口部には、前記開口部を開閉自在なフタが取り付けられていることを特徴とする請求項１に記載の埋込水栓。
【請求項３】
前記水栓本体と、シャワー配管、吐水配管、水道配管など前記被覆部材の外側に延設される配管との接続部が、前記開口部内に配設されたことを特徴とする請求項１又は請求項２に記載の埋込水栓。
【請求項４】
前記埋込水栓には前記水栓本体を取付部に固定するステーが備えられ、前記固定部は該ステーに設けられていることを特徴とする請求項１ないし請求項３のいずれかに記載の埋込水栓。
【発明の詳細な説明】
【技術分野】
【０００１】
本発明は、浴室のカウンターのパネル、水栓ボックス、水栓カバーなどによって水栓本体や配管類が被覆されるとともに、壁面などの取付部に固定される埋込水栓に関する。
【背景技術】
【０００２】
従来、浴室のカウンターのパネル、水栓ボックス、水栓カバーなどによって水栓本体や配管類が被覆されるとともに、壁面などの取付部に固定される埋込水栓が知られている。このような埋込水栓１４０では、例えば図５に示すように、壁面２などの取付部に水栓本体１４２などを固定するために、ステー１４３などを用いて壁面２に対してねじ止めするなどとしていた。そして、このような従来の埋込水栓１４０を施工場所に設置するには、図６に示すように、水栓本体１４２に固定されたステー１４３を壁面２にねじ止めした後に、さらに、水栓本体１４２に水栓カバー１４４全体やハンドル１４５を取り付けることとしていた（例えば、特許文献１参照。）。
【０００３】
【特許文献１】特開２００１−２６２６４２公報（図１、図２）
【発明の開示】
【発明が解決しようとする課題】
【０００４】
しかしながら、このような従来の埋込水栓１４０では水栓カバー１４４やハンドル１４５がステー１４３のねじ止め作業の妨げとなるので、ステー１４３を壁面２にねじ止めするためには水栓本体１４２から水栓カバー１４４やハンドル１４５を取り外しておかなければならない。したがって、埋込水栓１４０を浴室などの設置場所に設置する際に、取り外しておいた水栓カバー１４４やハンドル１４５などを水栓本体１４２に取り付ける作業が必ず必要となる。このため、例えば工場出荷時に、水栓本体１４２に水栓カバー１４４や水栓ハンドル１４５をあらかじめ取り付けておくなどして、設置場所での作業を少なくして施工作業を簡略化することが困難となっていた。
【０００５】
本発明は上記した従来の埋込水栓の問題点を解消するものであり、水栓本体に被覆部材やステーなどを一体化したまま取付部に固定可能とすることにより、浴室などの設置場所における施工作業を簡略化することができ、設置場所での作業コストを低減させることのできる埋込水栓の提供を目的とする。
【課題を解決するための手段】
【０００６】
以上の課題を解決するために、本発明の採った手段を以下に説明する。本発明の埋込水栓は、浴室のカウンターのパネル、水栓ボックス、水栓カバーなどの被覆部材によって水栓本体や配管類が被覆され一体化されるとともに、壁面などの取付部に固定される埋込水栓であって、前記被覆部材には、前記取付部に対して埋込水栓を固定するための固定部が露呈される開口部が備えられたことを特徴とするものである（請求項１）。
【０００７】
本発明の埋込水栓では、固定部が露呈される開口部が形成されている。例えば、この固定部を取付部にねじ止めすることによって埋込水栓が取付部に固定されるものである場合、被覆部材やステーなどを水栓本体などに取り付けたまま、この開口部から固定部のねじ止め作業を行うことができる。よって、水栓本体などに被覆部材などをあらかじめ取り付けておいても、埋込水栓の設置場所においてこの被覆部材などを取り外すことなく埋込水栓の取付部への固定作業を行うことができる。
【０００８】
本発明において「固定部」は、埋込水栓を取付部に固定するための埋込水栓の特定の部位を指す。「固定部」が設けられる部位は、埋込水栓を構成する部材のいずれでも良く、例えば、水栓本体に固定されるステーを有する場合、ステーの一部に備えられるとともにねじ止め用の取付孔が形成された固定片を「固定部」とするものや、ねじ止め用の取付孔を形成したフランジを、水栓本体に接続される接続管に形成して、このフランジを「固定部」とするものなどを例示することができる。
【０００９】
また、前記した埋込水栓において、開口部には、前記開口部を開閉自在なフタが取り付けられているものとすることもできる（請求項２）。
【００１０】
このように、開口部に開閉自在なフタを取り付けることにより、埋込水栓の固定作業時にはフタを開いて固定部をねじ止めするなどの作業を行うことができ、埋込水栓の取付部への固定後にはフタを閉じ固定部もフタによって被覆することにより、埋込水栓の美観を一層向上させることができる。
【００１１】
また、前記した埋込水栓において、水栓本体と、シャワー配管、吐水配管、水道配管など被覆部材の外部に配設される配管との接続部が、開口部内に配設されるものとすることもできる（請求項３）。
【００１２】
埋込水栓の水栓本体には、湯・水が供給される水道配管や、シャワーヘッドに湯水を流出させるシャワー配管など、水栓本体を被覆する被覆部材の外部に配設される配管が接続される。このような配管との接続部が前記した開口部内に配設されることにより、取付部への埋込水栓の固定後においても、開口部からこれらの接続部の接続作業を容易に行うことができる。よって、取付部へ埋込水栓を固定する前に、埋込水栓を保持しつつ一方で接続部の接続作業を行う必要がなく、例えば、作業者が一人であっても接続作業を容易に行うことができる。また、この開口部に開閉自在なフタが取り付けられる態様では、接続部の接続作業が完了した後にはこのような接続部もフタにより被覆して埋込水栓の美観が損なわれないようにすることができる。
【００１３】
また、前記した埋込水栓において、水栓本体を取付部に固定するステーを備え、固定部が、このステーに設けられるものとすることもできる（請求項４）。
【００１４】
前記したように、このようなステーにねじ止め用の固定部が形成されることがあるが、このようなステーを備える埋込水栓に本発明を適用すると好適である。
【発明の効果】
【００１５】
本発明は上記のように固定部が露呈される開口部が備えられ、埋込水栓の設置場所において被覆部材やステーなどを取り外す必要なく埋込水栓の取付部への固定作業を行うことができるので、工場などからの出荷時にあらかじめ被覆部材やステーなどを水栓本体に一体化したまま、設置場所で取付部への固定作業が可能となり、設置場所での施工作業を簡略化して設置場所での作業コストを低減させることができる。
【００１６】
また、特に請求項２の埋込水栓では、埋込水栓の美観をより向上させることもできる。また請求項３の埋込水栓では、固定部のみならず配管類との接続部をも被覆して美観を向上させることもできる。
【発明を実施するための最良の形態】
【００１７】
次に、本発明の埋込水栓の実施の形態を図を参考にして詳細に説明する。図１に示すように、本発明の埋込水栓１０は、水栓本体１２が「被覆部材」の一例である水栓カバー１００によって被覆されるとともに、「取付部」の一例である壁面２に設置固定されるものである。
【００１８】
図２に示すように、水栓本体１２は、水栓本体１２外から供給される湯・水を適宜量混合する混合弁装置４０と、この混合弁装置４０において適宜混合された混合水が供給されるとともに、この混合水の吐止水、及び吐水管（図示省略）とシャワー装置（図示省略）からの吐水の切換を行うための切換弁装置６０とを備えている。埋込水栓１０の下方には、浴室の躯体外部から浴室内に引き込まれた湯側及び水側の配管３ａ及び３ｂがそれぞれ引き回されており、これらの配管３ａ，３ｂが水栓カバー１００内に引き込まれている。また、配管３ａ，３ｂの先端には水栓本体１２の一部を構成する止水栓ユニット１４が、ナット４を用いた接続部２０によってそれぞれ接続固定されている。止水栓ユニット１４内には止水弁１５及び逆止弁１６が内蔵されており、図１にも示すように、これらを操作するための操作スピンドル１７及び操作つまみ１８が埋込水栓１０正面側に向けてそれぞれ備えられている。そして、止水栓ユニット１４はクイックファスナー５によって、混合弁装置４０から突設される湯側接続管及び水側接続管４４にそれぞれ接続固定されている。このようにして、配管３ａ，３ｂから供給される湯・水は、混合弁装置４０へと流入される。
【００１９】
混合弁装置４０には、埋込水栓１０正面側やや上方寄りに、斜め上方に向けて突出されて温度調節ハンドル４６が取り付けられている。この温度調節ハンドル４６を回動操作することにより、混合弁装置４０内において混合される混合水が所定温度となるように、内蔵されたサーモカートリッジ４８が駆動される。そして、混合弁装置４０において混合された混合水は混合銅管５０を経て切換弁装置６０に流入される。
【００２０】
切換弁装置６０は、その長手方向を埋込水栓１０正面側からみて真横となるようにして、埋込水栓１０正面寄りに設けられている。また、切換弁装置６０には、上記したように混合弁装置４０に接続される混合銅管５０のほか、吐水配管（図示省略）に接続される吐水銅管６２とシャワー銅管６４がそれぞれ接続されている。また、シャワー銅管６４は、水栓本体１２の上部において、その他端側がシャワー装置に接続されるシャワー配管２２に、ナット４を用いた接続部２１によって接続されている。
【００２１】
切換弁装置６０には、埋込水栓１０正面側から見て手前側に、埋込水栓１０の上下方向において回動操作が可能な切換ハンドル６６が取り付けられている。そして、この切換ハンドル６６を回動操作することにより、切換弁装置６０内の切換弁６３が駆動され、吐水銅管６２又はシャワー銅管６４のいずれかに混合水を流出させるように選択されるとともに、吐止水の操作が行われて、図示しない吐水管又はシャワー装置からの混合水の吐止水が行われる。
【００２２】
また、水栓本体１２はステー８０に取付固定されている。図３に示すように、ステー８０は、水栓カバー１００の外径にほぼ沿って形成され、正面側中央付近が正面側に突出された略Ｌ字状に形成されている。ステー８０の上方寄りには、混合弁装置４０や切換弁装置６０が固定される上側部８８が形成されている。上側部８８の上方寄りの第一固定部８９中央付近には、混合弁装置４０が挿通固定される取付孔８１が開設されている。また、この第一固定部８８の上端部両側には、ステー８０を壁面２に固定するためにねじ止め用の取付孔９０が形成された固定片８４が、それぞれ第一固定部８９に対して屈曲形成されて立設されている。またさらに第一固定部８９の中央付近両側には、水栓カバー１００を固定するために同様にねじ止め用の取付孔９０が形成された取付片８３が、それぞれ第一固定部８９に対して屈曲形成されて立設されている。
【００２３】
また、第一固定部８９からは、その下方に、略クランク状に屈曲形成されて第二固定部９１が連設されている。第二固定部９１には、切換弁装置６０が直接固定される固定プレート１３０がねじ止めされる３つの取付孔８６が形成されており、切換弁装置６０は、この第二固定部９１に固定される。
【００２４】
また、第二固定部９１の下方寄りの両端辺からは、第二固定部９１の両端辺に対してほぼ直角に下方に向かって連設された側壁部９２がそれぞれ形成されている。側壁部９２の下方後端辺からは、ステー８０の正面側にその面が向けられて側壁部９２から屈曲形成されるとともに、止水栓ユニット１４がねじ止めされるねじ止め用の取付孔９０が形成された取付片８２がそれぞれ形成されている。また、この取付片８２の下方の側壁部９２の後端辺からは、前記した固定片８４と同様に、ステー８０を壁面２に固定するためにねじ止め用の取付孔９０が形成された固定片８５が、ステー８０の正面側にその面が向けられて側壁部９２からそれぞれ屈曲形成されている。
【００２５】
そして図２に示すように、混合弁装置４０は、ステー８０の取付孔８１に挿通され、その外周面に周設されたフランジ４１とスペーサ６を介して取り付けられる固定ナット７とによって取付孔８１周縁のステー８０が挟持されることにより、ステー８０に固定されている。また、切換弁装置６０は、前記したように、ねじ止めされる固定プレート１３０を介してステー８０に取付固定されている。また、止水栓ユニット１４はステー８０下部の取付片８２にねじ止めされている。このようにして、水栓本体１２はステー８０に確実に固定されている。そして、図１及び図２に示すように、ステー８０上部の固定片８４及び下部の固定片８５が、それぞれ壁面２にねじ止めされ、壁面２に対して固定されている。本埋込水栓１０では、これらの固定片８４，８５が本発明に言う「固定部」に相当する。
【００２６】
次いで水栓カバー１００について説明する。水栓カバー１００は、図１に示すように、カバー本体部１０２と下側フタ１０４と上側フタ１０６とを備えている。水栓カバー１００全体は、下方寄りを正面側に膨出させたボックス状に形成されており、水栓本体１２、ステー８０などをその内部に収容している。また、カバー本体部１０２の正面上方寄りからは、手前側斜め上方に向けて温度調節ハンドル４６が突設されている。また、この温度調節ハンドル４６のやや下方で、カバー本体部１０２の正面側ほぼ中央には切換ハンドル６６が取り付けられている。
【００２７】
カバー本体部１０２の正面側下方寄りには、下側フタ１０４の正面視外形とほぼ対応した方形状の開口部１０７が開設されている。この開口部１０７は、止水栓ユニット１４、取付片８２、固定片８５及び接続部２０が露呈される部位に開口されている。また、図２に示すように、この開口部１０８の上辺及び下辺には突条１１０がそれぞれ形成されている。下側フタ１０４は、この開口部１０７に取り付けられている。
【００２８】
下側フタ１０４の上端辺及び下端辺には、カバー本体部１０２の突条１１０がスライド嵌合する溝１１６がそれぞれ穿設されている。この溝１１６は、下側フタ１０４の正面視左端部から右端部の直前に至るまで形成されており、図４に示すように、右端部においては外部から目視できないようにされ、埋込水栓１０の美観を損ねないように構成されている。また、下側フタ１０４の正面側右端部寄りには、下側フタ１０４をスライド操作する際に作業者が指を引っかけやすくして操作性を向上させるための引っかけ部１１８が形成されている。図１及び図４に示すように、下側フタ１０４は、カバー本体部１０２正面側から見て、右横方向にスライド自在に取り付けられている。
【００２９】
また、下側フタ１０４の裏側左端部寄りには、下側フタ１０４の脱落を防止するために形成された僅かな高さの脱落防止凸部１２０が設けられている。また、下側フタ１０４がカバー本体部１０２に取り付けられて開口部１０８が完全に被覆された状態において、開口部１０８の右側壁１１４のすぐ内側に位置する部位の下側フタ１０４の裏側面には、下側フタ１０４の不要なスライドを防止するための僅かな高さの干渉凸部１２２が設けられている。
【００３０】
また、図１に示すように、カバー本体部１０２の上部には、上側フタ１０６の正面視外形とほぼ対応した方形状の開口部１０８が開設されている。この開口部１０８は、固定片８４及び接続部２１が露呈される部位に開口されている。そして、上側フタ１０６は、この開口部１０８に着脱自在にはめ込まれている。
【００３１】
そして、図２に示すように、カバー本体部１０２は、その上部においてステー８０の取付片８３にねじ止めされ、ステー８０下端がカバー本体部１０２の下部内側に形成された受け部１０９（図４参照）に載置固定されて位置決めされている。
【００３２】
次いで、埋込水栓１０の壁面２への設置方法について説明する。この埋込水栓１０においては、混合弁装置４０、切換弁装置６０、各銅管５０，６２，６４及び止水栓ユニット１４からなる水栓本体１２と、ステー８０と、水栓カバー１００とは、あらかじめ一体化されて設置場所まで搬送される（なお、下側フタ１０４及び上側フタ１０６については、取り外した状態で搬送しても構わない）。設置場所においては、図１に示すように、このように一体化された埋込水栓１０について、開口部１０７から固定片８５を壁面２にねじ止めし、開口部１０８から固定片８４を壁面２にねじ止めして、壁面２に固定することができる。そして、このように埋込水栓１０を固定した後に、接続部２０及び接続部２１の接続作業を、同様に開口部１０７，１０８から行うことができる。なお、必要であれば、このように一体化された埋込水栓１０について、先に接続部２０，２１の接続作業を行った後に固定片８４．８５のねじ止めを行うこともできる。このようにして、水栓本体１２、ステー８０及び水栓カバー１００を一体化した状態の埋込水栓１０を、これらを一体化したまま壁面２に固定し、また、接続部２０，２１の接続も行うことができる。
【００３３】
また、上側フタ１０４をスライドさせることにより、止水栓ユニット１４を露呈することもできるので、埋込水栓１０の壁面２への設置後の必要な時に、止水栓ユニット１４のメンテナンス作業を行う際にも、上側フタ１０４をスライドさせるだけで良く、水栓カバー１００全体を取り外す必要もない。
【００３４】
なお、本発明は上記した実施の形態に限られるものではなく、本発明の趣旨の範囲内で種々の変更が可能である。例えば、本埋込水栓１０では、前記のように開口部１０７，１０８を設けたが、埋込水栓１０を壁面２に固定するための固定部が他の部位に配設される場合には、これに応じた部位に開口部を設けることとすればよい。また、開口部１０７，１０８を被覆するフタ１０４，１０６は他の手段によりカバー本体部１０２に開閉自在に取り付けても良い。
【図面の簡単な説明】
【００３５】
【図１】本発明の埋込水栓の一部分解正面図である。
【図２】図１の埋込水栓の側面視縦断面図である。
【図３】ステーの斜視図である。
【図４】水栓カバーの斜視図である。
【図５】従来の埋込水栓の側面視縦断面図である。
【図６】従来の埋込水栓の要部の斜視図である。
【符号の説明】
【００３６】
２；壁面、３ａ，３ｂ；配管、４；ナット、５；クイックファスナー、６；スペーサ、７；固定ナット、１０；埋込水栓、１２；水栓本体、１４；止水栓ユニット、１５；止水弁、１６；逆止弁、１７；操作スピンドル、１８；操作つまみ、２０；接続部、２１；接続部、２２；シャワー配管、４０；混合弁装置、４１；フランジ、４４；水側接続管、４６；温度調節ハンドル、４８；サーモカートリッジ、５０；混合銅管、６０；切換弁装置、６２；吐水銅管、６３；切換弁、６４；シャワー銅管、６６；切換ハンドル、８０；ステー、８１；取付孔、８２；取付片、８３；取付片、８４；固定片、８５；固定片、８６；取付孔、８８；上側部、８９；第一固定部、９０；取付孔、９１；第二固定部、９２；側壁部、１００；水栓カバー、１０２；カバー本体部、１０４；下側フタ、１０６；上側フタ、１０７；開口部、１０８；開口部、１０９；受け部、１１０；突条、１１６；溝、１１８；引っかけ部、１２０；脱落防止凸部、１２２；干渉凸部、１３０；固定プレート、１４０；埋込水栓、１４２；水栓本体、１４３；ステー、１４４；水栓カバー、１４５；ハンドル。
【図１】
2006016760.tif 000003
【図２】
2006016760.tif 000004
【図３】
2006016760.tif 000005
【図４】
2006016760.tif 000006
【図５】
2006016760.tif 000007
【図６】
2006016760.tif 000008